(57)【要約】【課題】大きなシートを用いながら積層体としてはコンパクトなウエットシート積層体を提供する。【解決手段】右側シート１と左側シート２を交互に積重ねた積層体であって、右側シート１は、Ｚ形に折り畳んで、上シート部１１と中シート部１２と下シート部１３が重なった折畳み部１０を有しており、上シート部１１の左端は、左方向に延びた第１延長部11aと、第１延長部11aを更に延長して上面側に折り畳んだ第２延長部11bを有しており、左側シート２は、Ｓ型に折り畳んで、上シート部２１と中シート部２２と下シート部２３が重なった折畳み部２０を有しており、上シート部２１の右端は、右方向に延びた第１延長部21aと、第１延長部21aを更に延長して上面側に折り畳んだ第２延長部21bを有しており、左・右シートの第１延長部11a，21aおよび第２延長部11b，21bの長さは、いずれも積層体の全幅Ｗの約１／２である。【選択図】図１
2005245863.tif 000002
【特許請求の範囲】
【請求項１】
右側シートと左側シートを交互に積重ねた積層体であって、
前記右側シートは、Ｚ形に折り畳んで、上シート部と中シート部と下シート部が重なった折畳み部を有しており、
前記上シート部の左端は、左方向に延びた第１延長部と、該第１延長部を更に延長して上面側に折り畳んだ第２延長部を有しており、
前記左側シートは、Ｓ型に折り畳んで、上シート部と中シート部と下シート部が重なった折畳み部を有しており、
前記上シート部の右端は、右方向に延びた第１延長部と、該第１延長部を更に延長して上面側に折り畳んだ第２延長部を有しており、
前記左・右シートの両折畳み部の幅は、いずれも積層体の全幅の約１／２であり、
前記左・右シートの第１延長部および第２延長部の長さは、いずれも積層体の全幅の約１／２である
ことを特徴とするウエットシート積層体。
【請求項２】
前記右側シートと前記左側シートは、前記右側シートの第２延長部が、前記左側シートの中シート部と下シート部との間に差し込まれ、前記左側シートの第２延長部が、前記右側シートの中シート部と下シート部との間に差し込まれている
ことを特徴とする請求項１記載のウエットシート積層体。
【請求項３】
前記右側シートと前記左側シートは、前記右側シートの折畳み部が前記左側シートの第１延長部と第２延長部の間に差し込まれ、前記左側シートの折畳み部が前記右側シートの第１延長部と第２延長部の間に差し込まれている
ことを特徴とする請求項１記載のウエットシート積層体。
【発明の詳細な説明】
【技術分野】
【０００１】
本発明は、ウエットシート積層体に関する。ウエットシートとは洗浄液などの液体を含ませた不織布や紙などのシートをいい、便器などを清掃するための厚みのある清掃用シートや、赤ちゃんのお尻を拭いたり、油の付いた手から油を拭い取ったりするための薄い拭き取り用ティッシュなどがある。これらのウエットシートは、湿っているからこそ汚れや油を良く落とすことができるので、洗浄液などが乾燥しないように、密封可能な容器に収納されて使用される。しかるに、容器に収納されたウエットシート集積物は、身の回りで使用されるものであるため、できるだけコンパクトであることが望まれるが、シートそのものは大きいことが使用時の便宜からは好ましい。本発明は、このような軟性ウエットシート積層体に関する。
【背景技術】
【０００２】
ウエットシート積層体に関しては、つぎの従来例１がある。
図４に示す従来例１は、（Ａ）図に示すように、右側シート100と左側シート110に分け、左右にずらせて積重ねたものである。なお、分かりやすくするため、（Ａ）図でのみ、右側シートを太線で示し、左側シートを点線で示している。前記右側シート100は、Ｚ形に折り畳むと共に、上シート部101の左端を左側に延ばし、延ばした長さは、積層体の全幅の約１／２である。中シート部102と下シート部103の幅は、積層体の全幅の約１／２である。前記左側シート110は左右対称に折り畳むもので、Ｓ形に折り畳むと共に、上シート部111の右端を右側に延ばし、延ばした長さは、積層体の全幅の約１／２である。中シート部112と下シート部113の幅は、積層体の全幅の約１／２である。
このような折り方をした場合、重なり厚さが積層体の全幅で同じとなるため、積層体は中高にならない。しかしながら、幅方向の寸法は必ずしもコンパクトではない。換言すれば、積層体の幅の割にはシート寸法が大きくない。
【０００３】
【特許文献１】特願平６−２３７７４
【発明の開示】
【発明が解決しようとする課題】
【０００４】
本発明は上記事情に鑑み、従来技術よりも、積層体の幅寸法が小さくてコンパクトであり、しかもシートそのものは大きいものを使用できるウエットシート積層体を提供することを目的とする。
【課題を解決するための手段】
【０００５】
第１発明のウエットシート積層体は、右側シートと左側シートを交互に積重ねた積層体であって、前記右側シートは、Ｚ形に折り畳んで、上シート部と中シート部と下シート部が重なった折畳み部を有しており、前記上シート部の左端は、左方向に延びた第１延長部と、該第１延長部を更に延長して上面側に折り畳んだ第２延長部を有しており、前記左側シートは、Ｓ型に折り畳んで、上シート部と中シート部と下シート部が重なった折畳み部を有しており、前記上シート部の右端は、右方向に延びた第１延長部と、該第１延長部を更に延長して上面側に折り畳んだ第２延長部を有しており、前記左・右シートの両折畳み部の幅は、いずれも積層体の全幅の約１／２であり、前記左・右シートの第１延長部および第２延長部の長さは、いずれも積層体の全幅の約１／２であることを特徴とする。
第２発明のウエットシート積層体は、第１発明において、前記右側シートと前記左側シートは、前記右側シートの第２延長部が、前記左側シートの中シート部と下シート部との間に差し込まれ、前記左側シートの第２延長部が、前記右側シートの中シート部と下シート部との間に差し込まれていることを特徴とする。
第３発明のウエットシート積層体は、第１発明において、前記右側シートと前記左側シートは、前記右側シートの折畳み部が前記左側シートの第１延長部と第２延長部の間に差し込まれ、前記左側シートの折畳み部が前記右側シートの第１延長部と第２延長部の間に差し込まれていることを特徴とする。
【発明の効果】
【０００６】
第１発明によれば、左・右両シートとも第２延長部を有しているので、第１延長部までの幅しかない従来例と比べてシート幅が大きくなっており、広い面積を有するので使い勝手がよい。また、シート幅が大きいにも拘らず、第２延長部は第１延長部に重なるよう折畳んでいるので、積層体の全幅は大きくなっていない。換言すれば、シート幅を従来例と同じにすれば、積層体の全幅を狭くしてコンパクトにできる。
第２発明によれば、一方のシートの下シート部と他方のシートの第２延長部が重なっているので、両者の間に適度な摩擦力があり、１枚目のシートを取出したとき、２枚目のシートの第２延長部が引きずり出されるので、２枚目シートの頭出しが確実に行なえると共に、摩擦力が過大でないので２枚目のシート全体を引きずり出す不都合を防止できる。
第３発明によれば、一方のシートの上シート部と他方のシートの第２延長部が重なっているので、両者の間に適度な摩擦力があり、１枚目のシートを取出したとき、２枚目のシートの第２延長部が引きずり出されるので、２枚目シートの頭出しが確実に行なえると共に、摩擦力が過大でないので２枚目のシート全体を引きずり出す不都合を防止できる。
【発明を実施するための最良の形態】
【０００７】
つぎに、本発明の実施形態を図面に基づき説明する。
図１は本発明のウエットシート積層体を構成する右側シートと左側シートの斜視図である。図２は本発明の一実施形態に係るウエットシート積層体の積層状態の説明図である。図３は本発明の他の実施形態に係るウエットシート積層体の積層状態の説明図である。なお、図２および図３においては、分かりやすくするため、右側シート１を太線で示し、左側シート２を点線で示している。
【０００８】
本実施形態のウエットシート積層体Ａは、図１に示す右側シート１と左側シート２を交互に積重ねて積層体に構成するものである。
前記右側シート１は、基本形態が、アルファベットのＺ字形に似たＺ形に折り畳んだもので、これに後述する第１延長部11aと第２延長部11bが付加されたものである。したがって、１枚のシートがＺ形に折り畳まれることにより、三つの部分に分けられるが、それぞれは上シート部１１と中シート部１２と下シート部１３となっている。これらの上シート部１１と中シート部１２と下シート部１３が重なった部分は、折畳み部１０という。
前記上シート部１１の左端は、左方向に延びた第１延長部11aを有している。この第１延長部11aの長さは、折畳み部１０と同幅、すなわち、積層体の全幅の約１／２である。また、前記第１延長部11aはさらに延びて、第２延長部11bとなっており、前記第１延長部11aの上面に折り返されている。この第２延長部11bの長さも、折畳み部１０と同幅、すなわち、積層体の全幅の約１／２である。
【０００９】
前記左側シート２は、基本形態が、アルファベットのＳ字形に似たＳ型に折り畳んだもので、これに後述する第１延長部21aと第２延長部21bが付加されたものである。したがって、１枚のシートがＳ形に折り畳まれることにより、三つの部分に分けられ、それぞれを上シート部２１，中シート部２２，下シート部２３という。これらの上シート部２１と中シート部２２と下シート部２３が重なった部分は、折畳み部２０という。
前記上シート部２１の右端は、右方向に延びた第１延長部21aを有している。この第１延長部21aの長さは、折畳み部２０と同幅、すなわち、積層体の全幅の約１／２である。また、前記第１延長部21aはさらに延びて、第２延長部21bとなっており、前記第１延長部21aの上面に折り返されている。この第２延長部21bの長さも、折畳み部と同幅、すなわち、積層体の全幅の約１／２である。
【００１０】
前記右側シート１と前記左側シート２は、図２に示すように、互いに差し込まれて、積重ねられる。すなわち、前記右側シート１の第２延長部11bは、前記左側シート２の中シート部２２と下シート部２３との間に差し込まれ、前記左側シート２の第２延長部21bは、前記右側シート１の中シート部１２と下シート部１３との間に差し込まれている。前記左右シート１，２の両折畳み部１０，２０の幅は、互いに同一で、積層体の全幅Ｗの約１／２である。なお、３は収納袋を示し、この中には多数枚の各シート１，２が収納される。
【００１１】
本実施形態のシート積層体は、図４の従来例と比べると、第２延長部11b，21bを有する点で異なっており、他の構成は同様である。要するに、第２延長部11b，21bの長さだけ幅広のシートを用いる点に特徴がある。このことは、積層体の全幅を従来例と同じにするなら、より幅広のウエットシートを使用でき、同幅のウエットシートなら積層体の全幅を狭くして、よりコンパクトな積層体にできることを意味している。
【００１２】
図３の実施形態は、図２の実施形態に比べ差込み形態が変わったものであるが、それ以外の基本構成は、図２の実施形態と変わることはない。要するに、前記右側シート１の折畳み部１０が前記左側シート２の第１延長部21aと第２延長部21bの間に差し込まれ、前記左側シート２の折畳み部２０が前記右側シートの第１延長部11aと第２延長部11bの間に差し込まれている。この実施形態においても、収納袋３内に多数枚の各シート１，２が収納される。そして、積層体の全幅Ｗを従来例と同じにするなら、より幅広のウエットシートを使用でき、同幅のウエットシートなら積層体の全幅Ｗを狭くして、よりコンパクトな積層体にできるものである。
【００１３】
上記に示した図２および図３のいずれの実施形態においても、１枚目のシートと２枚目のシートの重なり部分は、第２延長部11b，21bの長さ部分である。よって、摩擦力が過大でもなく過小でもないので、両者の間に適度な摩擦力があり、１枚目のシートを取出したとき、２枚目のシートの第２延長部が引きずり出されるので、２枚目シートの頭出しが確実に行なえると共に、摩擦力が過大でないので２枚目のシート全体を引きずり出す不都合を防止できる。
【００１４】
本発明におけるウエットシート積層体は、左右各シートの折畳み形状に特徴があるもので、その材質や大きさは、任意に選択できるものである。したがって、シート材質としては公知のものを何ら制限なく用いることができ、大きさも制限なく大小様々のものを用いることができる。
【図面の簡単な説明】
【００１５】
【図１】本発明のウエットシート積層体を構成する右側シートと左側シートの斜視図である。
【図２】本発明の一実施形態に係るウエットシート積層体の積層状態の説明図である。
【図３】本発明の他の実施形態に係るウエットシート積層体の積層状態の説明図である。
【図４】従来例１のウエットシート積層体の概略説明図である。
【符号の説明】
【００１６】
１    右側シート
２    左側シート
１１    上シート部
１２    中シート部
１３    下シート部
11a     第１延長部
11b     第２延長部
２１    上シート部
２２    中シート部
２３    下シート部
21a     第１延長部
21b     第２延長部
【図１】
2005245863.tif 000003
【図２】
2005245863.tif 000004
【図３】
2005245863.tif 000005
【図４】
2005245863.tif 000006